【手続補正書】
【提出日】平成16年5月12日(2004.5.12)
【手続補正１】
【補正対象書類名】特許請求の範囲
【補正対象項目名】全文
【補正方法】変更
【補正の内容】
【特許請求の範囲】
【請求項１】
無線ネットワークを介して無線端末装置のユーザにコンテンツを配信する方法であって、
コンテンツ配信のための要求を受信すること、
前記要求がユーザ、オペレータ、又はコンテンツ／サービス・プロバイダの指定された配信クラスを含むこと、
前記コンテンツの配信をスケジュールすること、及び、
前記無線ネットワークを介して前記無線端末装置に前記コンテンツを配信すること、
により構成される方法。
【請求項２】
更に、配信のための前記無線装置から前記無線ネットワークへのコンテンツを受信すること、及び前記無線装置と携帯コンテンツ配信システムとの間における通信に基づいて配信をスケジュールすること、により構成される請求項１記載の方法。
【請求項３】
前記配信クラスは、即時配信及び時間遅延配信から成るグループから選択される請求項１記載の方法。
【請求項４】
配信時間は、前記配信クラス、ネットワーク容量使用量、及びコンテンツ・ファイル・サイズに基づく請求項１記載の方法。
【請求項５】
更に、前記配信クラスに従って、配信に対して課金することにより構成される請求項１記載の方法。
【請求項６】
前記コンテンツは、即時に配信されるか、又は時間遅延され得る請求項１記載の方法。
【請求項７】
前記コンテンツのいくつかの部分は、即時に配信され、いくつかの部分は、時間遅延される請求項１記載の方法。
【請求項８】
ユーザ・プロフィールを保持するための手段、
課金情報を生成するための課金手段、
コンテンツ配信メッセージを配信するために残っている絶対時間を計測するためのタイミング手段、
前記コンテンツ配信メッセージを残り時間の順に配置するためのキューイング手段、
無線端末装置の位置を特定するための所在確認手段、
無線ネットワーク活動を評価するための分析手段、
様々な伝送機構を利用するためのインターフェーシング手段、及び、
無線端末装置が位置する領域における前記無線ネットワーク活動の評価に基づいて前記コンテンツの配信をスケジュールするための配信スケジューリング手段、
により構成される携帯コンテンツ配信（ＭＣＤ）システム。
【請求項９】
前記タイミング手段は、メッセージのキュー・ロジックに絶対残り時間値を挿入する請求項８記載のＭＣＤシステム。
【請求項１０】
前記配信スケジューリング手段は、セルの容量に対する相対的なセルの使用量、メッセージ・コンテンツ・ファイル・サイズ、前記メッセージを配信するために残っている絶対時間、及びユーザ位置情報を決定することにより配信をスケジュールする請求項８記載のＭＣＤシステム。
【請求項１１】
コンテンツを閲覧するための無線端末装置、
コンテンツを提供するためのコンテンツ・プロバイダ、及び、
無線端末装置のユーザによって要求されたコンテンツを前記コンテンツ・プロバイダから受信し、配信クラスに従って前記無線端末装置に対する前記コンテンツ配信の時間をスケジュールするための携帯コンテンツ配信（ＭＣＤ）システム、
により構成される携帯コンテンツ配信無線ネットワーク。
【請求項１２】
更に、前記コンテンツの配信に先立って前記無線端末装置に起床メッセージを配信するためのショート・メッセージ・システムにより構成される請求項１１記載の携帯コンテンツ配信無線ネットワーク。
【請求項１３】
前記ＭＣＤシステムは、前記コンテンツを前記無線端末装置に配信する請求項１１記載の携帯コンテンツ配信無線ネットワーク。
【請求項１４】
更に、前記コンテンツを前記無線端末装置に配信するための配信サーバにより構成される請求項１１記載の携帯コンテンツ配信無線ネットワーク。
【請求項１５】
前記無線端末装置は、コンテンツを送信し、前記無線端末装置から前記ネットワークへの前記コンテンツの配信は、前記無線端末装置と前記ＭＣＤシステムとの間における通信に基づいてスケジュールされる請求項１１記載の携帯コンテンツ配信無線ネットワーク。
【請求項１６】
前記ＭＣＤシステムは、直近のコンテンツを前記無線端末が受信することを保証すべく、前記コンテンツのリンク・アドレスを前記無線端末に配信し、前記コンテンツの配信を遅延する請求項１１記載の携帯コンテンツ配信無線ネットワーク。
【請求項１７】
前記ＭＣＤシステムは、コンテンツ・サイズ、利用されているウェブ・サービス、又はその後は全トラフィックを遮断すべきである特定の時間に基づいて、ネットワーク・トラフィックを遮断する請求項１１記載の携帯コンテンツ配信無線ネットワーク。
【請求項１８】
複数の無線端末装置、複数のベース・ステーション・システム配置、一つ以上のベース・ステーション制御装置、セルラー・ネットワーク、コンテンツ／サービス・プロバイダ、メッセージング伝送システム、ショート・メッセージ・システム、及び、コンテンツを閲覧すること、コンテンツを注文すること、コンテンツの配信クラスを指定すること、コンテンツの配信をスケジュールすること、及び前記複数の無線端末装置へコンテンツを配信することが共に実行可能である携帯コンテンツ配信（ＭＣＤ）システム、
により構成されるワイド・エリア・ネットワーク・システム。
【請求項１９】
ユーザは、コンテンツの前記配信クラスを閲覧、注文、及び指定する請求項１８記載のワイド・エリア・ネットワーク・システム。
【請求項２０】
前記無線端末装置は、ＩＰアドレス又は携帯電話番号のようなアドレス指定情報、デフォルト・メッセージング・サーバ・アドレス、及び前記コンテンツ／サービス・プロバイダへの配信クラスを送信する請求項１８記載のワイド・エリア・ネットワーク・システム。
【請求項２１】
前記コンテンツ／サービス・プロバイダ・システムは、ＩＰアドレス又は携帯電話番号のようなユーザ・アドレス指定情報、デフォルト・メッセージング・サーバ・アドレス、及び配信クラスに対する問い合わせを送信する請求項１８記載のワイド・エリア・ネットワーク・システム。
【請求項２２】
前記コンテンツ／サービス・プロバイダは、前記メッセージング伝送システムの一つ又は前記ＭＣＤシステムに前記コンテンツを送信する請求項１８記載のワイド・エリア・ネットワーク・システム。
【請求項２３】
前記ＭＣＤシステムは、前記配信クラス、ユーザ位置、ネットワーク容量使用量、及びコンテンツ・ファイル・サイズに基づいて、前記コンテンツに対する配信時間窓をスケジュールする請求項１８記載のワイド・エリア・ネットワーク・システム。
【請求項２４】
前記ショート・メッセージ・システムは、起床メッセージを前記複数の無線端末装置に配信する請求項１８記載のワイド・エリア・ネットワーク・システム。
【請求項２５】
前記ネットワークを介した配信速度を調整するために、サービス品質（ＱｏＳ）パラメータが前記起床メッセージに添付される請求項２４記載のワイド・エリア・ネットワーク・システム。
【請求項２６】
前記メッセージング伝送システムの一つ又は配信サーバは、前記セルラー・ネットワークを介して前記コンテンツを前記複数の無線端末装置に配信する請求項１８記載のワイド・エリア・ネットワーク・システム。
【請求項２７】
前記コンテンツは、オペレータ・ネットワーク・アーキテクチャー、無線ネットワーク負荷状況、及びユーザ・プロフィールに設定された優先権に基づいて代替ネットワークを介して配信される請求項１８記載のワイド・エリア・ネットワーク・システム。
【請求項２８】
前記代替ネットワークは、インターネット、ＩＳＤＮ、ＡＤＳＬ、無線ＬＡＮ、又はＢｌｕｅｔｏｏｔｈのネットワークである請求項２７記載のワイド・エリア・ネットワーク・システム。
【請求項２９】
前記代替ネットワークを介して配信される前記コンテンツは、前記配信クラスに基づいてユーザに課金される請求項２７記載のワイド・エリア・ネットワーク・システム。
【請求項３０】
前記ＭＣＤシステムは、トラフィック分析を実行し、トラフィック・ストリーム内のデータに基づいてトラフィックを遮断し再誘導するための手段を与える請求項１８記載のワイド・エリア・ネットワーク・システム。
【請求項３１】
前記ＭＣＤシステムは、トラフィック分析を実行し、トラフィック・ストリーム内に修正された又は新しいデータを挿入するための手段を与える請求項１８記載のワイド・エリア・ネットワーク・システム。
【請求項３２】
無線ネットワークを介した無線端末装置のユーザへのコンテンツ配信を注文しスケジュールする方法であって、
前記無線端末装置を介してコンテンツを閲覧するステップ、
前記無線端末装置から前記コンテンツを注文するステップ、
前記ネットワークにおけるユーザ・プロフィールを評価するステップ、及び、
前記コンテンツが前記無線ネットワークを介して前記無線端末装置に配信される手段である時間遅延配信となる配信クラスを選択するステップ、
により構成される方法。
【請求項３３】
前記コンテンツは、オペレータ・ネットワーク・アーキテクチャー、無線ネットワーク負荷状況、及びユーザ・プロフィールに設定された優先権に基づいて代替ネットワークを介して配信される請求項３２記載の方法。
【請求項３４】
無線装置から無線ネットワークへのコンテンツ配信をスケジュールする方法であって、
前記ネットワークにおけるユーザ・プロフィールを評価するステップ、
配信クラスを選択するか、又は前記ユーザに対してあらかじめ指定された配信クラスを用いるステップ、
前記配信クラスに基づいて前記コンテンツの配信に最適化された時間を決定するために携帯コンテンツ配信（ＭＣＤ）システムと前記無線装置を通信させるステップ、及び、
前記ＭＣＤシステムが許可したときに前記無線装置に前記コンテンツを送信させるステップ、
により構成される方法。